(57)【要約】【目的】メインコンテンツ出力中にWEBページの表示が要求されたときネットワークへのアクセスが不可能であっても適時に該WEBページを表示できるようにする「DVD再生装置」を提供することである。【構成】メインコンテンツ出力中にWEBページの表示が要求されたとき、ネットワークへのアクセスが可能であれば該WEBページを取得して表示し、アクセスが不可能であれば、あるいはアクセス中にアクセスが不可能となれば、アクセス先のアドレスをメモリに保存すると共に、メインコンテンツの再生を継続し、アクセス可能時にアクセスしてWEBページを取得し、表示する。【選択図】図１
2008306243.tif 000002
【特許請求の範囲】
【請求項１】
ネットワークを介して外部装置と接続が可能なDVD再生装置において、
DVDから読み取ったメインコンテンツおよびネットワークを介して取得したコンテンツを再生して出力する再生部、
ネットワーク接続指定つきのオブジェクトを選択するオブジェ選択部、
前記ネットワークへのアクセスが可能であるか否かを判断するアクセス判断部、
アクセス先のアドレスを記憶するメモリ、
メインコンテンツ出力中にネットワーク接続指定つきのオブジェクトが選択されたとき、ネットワークへのアクセスが可能であれば該オブジェクトに応じたアクセス先にアクセスして所定のコンテンツを取得して前記再生部に入力し、アクセスが不可能であれば、あるいはアクセス中にアクセスが不可能となれば、アクセス先のアドレスを前記メモリに保存すると共に、メインコンテンツの再生を継続する制御部、
を備えたことを特徴とするDVD再生装置。
【請求項２】
前記制御部は、ネットワークへのアクセスが可能になったとき、前記メモリに保存されているアクセス先リストを表示し、選択されたアクセス先にアクセスして所定のコンテンツを取得して前記再生部に入力する、
ことを特徴とする請求項１記載のDVD再生装置。
【請求項３】
前記制御部は、前記アクセスが可能になったとき、選択によりアクセス先リストを表示せずメインコンテンツの再生を継続するよう制御する、
ことを特徴とする請求項２記載のDVD再生装置。
【請求項４】
前記アクセス不可能なとき、メインコンテンツの再生を継続するか、メインコンテンツの再生を停止してアクセス可能になるまで待機するかを設定しておき、前記制御部は、メインコンテンツの再生継続が設定されている場合には、該メインコンテンツの再生を継続し、待機が設定されている場合、メインコンテンツの再生を停止し、ネットワークとのアクセスが可能になったとき前記メモリに記憶されているアクセス先のアドレスにアクセスしてコンテンツを取得して再生すると共に、メインコンテンツの再生を再開する、
ことを特徴とする請求項１記載のDVD再生装置。
【請求項５】
前記メモリを着脱自在にして他の機器に接続可能にした、ことを特徴とする請求項１記載のDVD再生装置。
【発明の詳細な説明】
【技術分野】
【０００１】
本発明はDVD再生装置に関わり、特に、インターネットなどのネットワークを介して外部装置と接続が可能なDVD再生装置に関する。
【背景技術】
【０００２】
HD-DVDやBlu-rayなどを記憶媒体とするDVD再生装置はインターネット接続機能を備えており、記憶媒体より読み取った映像をモニターに表示すると共に、該映像に埋め込まれているネットワーク接続指定つきのオブジェクト(リンク情報)が選択されると、該オブジェクトに応じたアクセス先（URL）を求め、該アクセス先にアクセスして所定のWEBページ情報を取得してモニターに表示するようになっている。家庭用のDVD再生装置はインターネットに常時接続されているため、インターネットのWEBサーバより所定情報のダウンロードやストリーミングが必要になれば、確実に該情報をWEBサーバより取得して表示することができる。
車載用のHD-DVDやBlu-rayなどを記憶媒体とするDVD再生装置でも家庭用のDVD再生装置と同等の機能、すなわち、インターネット接続機能を有することが必要である。現状、車載用DVD再生装置は携帯電話機を介してインターネットに接続するか、あるいは無線LANによりアクセスポイントを介してインターネット接続するしか手段がない。このインターネット接続手段により、WEBサーバより所定情報のダウンロードやストリーミングが必要になったとき、インターネット接続が可能であれば、家庭用DVD再生装置と同様に該情報をWEBサーバより取得して表示することができる。
【０００３】
しかし、車両は移動するため、トンネル等の電波がない場所や、電波が弱い場所において車載用インターネット接続手段はインターネット接続ができず、必要時にWEBサーバにアクセスできず、あるいは、アクセス中に回線が途切れてダウンロードやストリーミングが不可能になる。したがって、車載用DVD再生装置において、ユーザが記憶媒体より読み取った映像(メインコンテンツ)に埋め込まれているネットワーク接続指定つきのオブジェクトを選択しても、該オブジェクトに応じたWEBページ情報をモニターに表示できない場合がある。
従来技術として、インターネット接続機能を備えたDVD再生装置が提案されている(特許文献１参照)。このDVD再生装置は、DVDに録画されたタイトル情報を再生して画面上に表示しているとき画像に含まれるWebマークがクリック操作されたとき、該Webマークに関連するWebページをネットワークより取得して表示すると共に、タイトル情報を一時的に再生中断し、Webページの表示処理が終了すると、タイトル情報の再生処理を再開するものである。
しかし、この提案されているDVD再生装置は車載用DVD再生装置に関するものではなく、しかも、ネットワークとの接続が不可能なことに起因して生じるWEBページを表示できない場合に対処するための技術を何も開示していない。
【特許文献１】特開２００６−０３３８７３
【発明の開示】
【発明が解決しようとする課題】
【０００４】
以上から、本発明の目的は、メインコンテンツ出力中にネットワーク接続指定つきのオブジェクトが選択され、このときネットワークへのアクセスが不可能であっても、あるいはアクセス中にアクセスが不可能となっても、適時に該オブジェクトに応じたWEBページを後で表示できるようにすることである。
本発明の別の目的は、アクセス可能になったときにWEBページを表示できるようにすることである。
本発明の目的は、ネットワークへのアクセスが不可能なために見られなかったWEBページを家庭用パソコンや家庭用DVD再生装置で簡単に見られるようにすることである。
【課題を解決するための手段】
【０００５】
本発明は、ネットワークを介して外部装置と接続が可能なDVD再生装置であり、DVDから読み取ったメインコンテンツおよびネットワークを介して取得したコンテンツを再生して出力する再生部、ネットワーク接続指定つきのオブジェクトを選択するオブジェ選択部、前記ネットワークへのアクセスが可能であるか否かを判断するアクセス判断部、アクセス先のアドレスを記憶するメモリ、メインコンテンツ出力中にネットワーク接続指定つきのオブジェクトが選択されたとき、ネットワークへのアクセスが可能であれば該オブジェクトに応じたアクセス先にアクセスして所定のコンテンツを取得して前記再生部に入力し、アクセスが不可能であれば、あるいはアクセス中にアクセスが不可能となれば、アクセス先のアドレスを前記メモリに保存すると共に、メインコンテンツの再生を継続する制御部を備えている。なお、前記メモリは着脱自在にして他の機器に接続可能にする。
前記制御部は、ネットワークへのアクセスが可能になったとき、前記メモリに保存されているアクセス先リストを表示し、選択されたアクセス先にアクセスして所定のコンテンツを取得して前記再生部に入力する。
あるいは、前記制御部は、前記アクセスが可能になったとき、選択によりアクセス先リストを表示せずメインコンテンツの再生を継続するよう制御する。
あるいは、前記アクセス不可能なとき、メインコンテンツの再生を継続するか、メインコンテンツの再生を停止してアクセス可能になるまで待機するかを設定しておき、前記制御部は、メインコンテンツの再生継続が設定されている場合には、該メインコンテンツの再生を継続し、待機が設定されている場合、メインコンテンツの再生を停止し、ネットワークとのアクセスが可能になったとき前記メモリに記憶されているアクセス先のアドレスにアクセスしてコンテンツを取得して再生すると共に、メインコンテンツの再生を再開する。
【発明の効果】
【０００６】
本発明によれば、ネットワークへのアクセスが不可能であれば、あるいはアクセス中にアクセスが不可能となれば、アクセス先のアドレスをメモリに保存するようにしたから、該メモリに保存されているアクセス先アドレスを用いて適時に所望のWEBページを後で表示することができる。
また、本発明によれば、前記メモリを着脱自在にして他の機器に接続可能にしたから、ネットワークへのアクセスが不可能なために見られなかったWEBページを家庭用パソコンや家庭用DVD再生装置で簡単に見ることができる。
また、本発明によれば、ネットワークへのアクセスが可能になったとき、前記メモリに保存されているアクセス先リストを表示し、選択されたアクセス先にアクセスして所定のコンテンツを取得してWEBページを表示することができる。
【発明を実施するための最良の形態】
【０００７】
（Ａ）DVD再生装置の構成
図１は本発明のDVD再生装置の構成図である。HD-DVDやBlu-rayなどの記憶媒体１０には、図２に示すようにAV情報(メインコンテンツ情報)１０aと情報管理テーブル１０bが記録されている。メインコンテンツ１０aは、例えばMPEG２の動画像符号化方式により符号化された映画などの符号化ストリーム情報であり、ストリーム情報のほかにDVD規格に準拠した制御情報（データ再生制御に関するナビゲーション情報などの管理情報）も含まれている。情報管理テーブル１０bは、例えば、(１)ネットワーク接続指定つきのオブジェクトが含まれる映像位置と、(２)該オブジェクトのスクリーン上の位置座標と、(３)WEBサーバのアドレス(URL)の対応を特定するものであり、映像位置は、タイトル番号、チャプター番号、画面IDなどにより特定される。オブジェクトは例えば映画等の映像シーンに含まれる画像部分あるいは映像シーンに重ねて表示される枠などのマークであり、（A）では鞄店(バッグショップ)の棚に並べられた鞄の映像シーンにおいてブランド品である鞄BG1がオブジェクトとなった場合が示されている。なお、図示しないが映像シーンの中にオブジェクトが存在することを示すマークや該オブジェクト位置を特定する表示を行うことができる。また、（B）では、映像シーンにオブジェクト（WEBマーク)OBとして枠を映像シーンに重ねて表示した場合が示されている。オブジェクトは１画面で１つに限らず２以上存在することができる。
【０００８】
再生信号処理部１１はHD-DVDやBlu-rayなどの記憶媒体１０より信号を読み取り、所定の信号処理（DVD変調信号の復調処理や誤り訂正処理、デジタル認証処理など）を行ない、ストリーム情報ST(コンテンツ情報)をストリーム分離・解析部１２に入力し、情報管理テーブルICTをシステム制御部２１に入力する。システム制御部２１は該情報管理テーブルICTをRAM２１aに保存する。ストリーム分離・解析部１２はストリーム解析を行い、ナビゲーションデータNVをシステム制御部２１に入力するとともに、システム制御部２１からの指示に基づいてビデオデータ（主映像）、所定言語の副映像（字幕）、 所定言語のオーディオデータをそれぞれ分離して出力する。
オーディオ/ビデオ処理部１３は、MPEG圧縮オーディオデータをPCMオーディオデータに復元し，DA変換してオーディオ回路３１に入力すると共に、主映像のMPEGビデオデータを復元し、また副映像（字幕）の圧縮を復元し、それら主映像と副映像を重ね合わせてビデオエンコーダ３２に入力する。ビデオエンコーダ３２は入力映像信号をNTSC方式あるいはPAL方式の信号にエンコードしてモニター３３に入力し、モニター３３は入力された映像をディスプレイ画面に表示し、タッチパネル３４は指あるいはペンでタッチされた画面上の座標をシステム制御部２１に入力する。
【０００９】
システム制御部２１は、所定の映像シーンにおいて、ネットワーク接続指定つきのオブジェクトがタッチされたことがタッチパネル３４よりの位置座標より判明すると、該オブジェクトに応じたWEBアドレス（URL）を情報管理テーブルICTより検索して通信インターフェース１４に入力する。通信インターフェース１４は該WEBアドレス（URL）を携帯電話機４１に送ってインターネット接続を依頼する。携帯電話機４１はインターネット接続可能であれば入力されたWEBアドレス（URL）のWEBサーバにアクセスする。これにより、該WEBサーバはWEBページ情報をダウンロードし、携帯電話機はダウンロードされたWEB情報を通信インターフェース１４に送信する。通信インターフェース１４はダウンロードされたWEB情報信号に対して所定の信号処理（復調処理や誤り訂正処理など）を施してストリーム分離・解析部１２を介してオーディオビデオ処理部１３に入力する。オーディオビデオ処理部１３は入力されたWEB情報信号を用いてWEB画像を発生してモニター３３に表示する。オーディオビデオ処理部１３は例えば、図３(A)に示すように画面全体にWEB画像を表示し、あるいは、(B)に示すようにメインコンテンツの静止画像を縮小表示すると共にWEB画像を表示する。以上では、携帯電話機４１がインターネットにアクセス可能な場合であるが、車両が圏外、トンネルなどに存在して携帯電話機４１がインターネットにアクセス不可能であれば、該携帯電話機はネットワークへのアクセス不可能CMNGを通信インターフェース１４を介してシステム制御部２１に通知する。ネットワークへのアクセスが不可能な場合、あるいはネットワークアクセス中にアクセス不可能になると、システム制御部２１はアクセス先のWEBアドレス(アクセス先)を着脱可能に設けたUSBメモリ２２に保存し、以後、アクセス可能になったとき後述する制御により保存してあるWEBアドレスを用いてWEBページの取得制御を行う。USBメモリには、例えば、アクセス不可能になった時刻、アクセス先アドレス（URL）、映像位置データなどが保存される。操作部２３は、DVDの再生指示、字幕/音声言語の選択、チャプター選択、スキップなどDVDの再生制御を行う。
【００１０】
（Ｂ）本発明の表示制御
（ａ）第１実施例のメインコンテンツ及びWEBページ表示制御
図４は本発明の第１実施例のメインコンテンツ及びWEBページ表示制御の処理フローである。
操作部２３より所定HD-DVDの再生指示があると、システム制御部２１はDVD再生装置の各部を制御して情報管理テーブルICTを読み取ってRAM２１aに格納すると共に、該DVDの再生を開始し、メインコンテンツをモニターに表示する(ステップ１０１)。
かかる状態において所定の映像シーンにおいてオブジェクト(リンク情報)がタッチされてWEB情報の表示が要求されたか監視する(ステップ１０２)。WEB情報の表示が要求されていなければ、DVDの再生が完了したかチェックし(ステップ１０３)、完了してなければステップ１０１に戻り、以降の処理を繰り返す。なお、ステップ１１３を介してステップ１０３の処理が行われるが、ステップ１１３では必ず「NO」になる。このステップ１１３の処理は後述する。
一方、ステップ１０２において、オブジェクト(リンク情報)がタッチされてWEB情報の表示が要求されると、システム制御部２１はRAM２１aよりWEBアドレス(URL)を取得し(ステップ１０４)、インターネットにアクセス可能であるかチェックし(ステップ１０５)、インターネットにアクセス可能であれば、メインコンテンツの再生を停止し(ステップ１０６)、WEBサーバよりWEB情報をダウンロードにより取得して図３に示すように表示する(ステップ１０７)。ついで、WEB情報表示中にインターネットへのアクセスが不可能になったチェックし(ステップ１０８)、アクセス可能であれば、WEB表示が終了したか、すなわち、ユーザの表示終了操作により、あるいは表示時間経過によりWEB表示が終了したか監視し(ステップ１０９)、WEB表示が終了しなければステップ１０７以降の処理を繰り返し、WEB表示が終了すればステップ１０１に戻り以降の処理を繰り返す。
【００１１】
一方、ステップ１０５において、インターネットへのアクセスが不可能であれば、ネットワークアクセスが不可能である旨を何らかの方法で表示し(ステップ１１０)、USBメモリ２２にステップ１０４で取得したアクセス先アドレス（URL）、時刻、メインコンテンツの映像位置情報(タイトル、チャプター番号、画像ID等)を保存する(ステップ１１１)。また、ステップ１０８において、すなわち、WEB情報表示中にインターネットへのアクセスが不可能になれば、メインコンテンツの再生を再開し(ステップ１１２)、ステップ１１０に飛び以降の処理を繰り返す。すなわち、システム制御部２１は、ネットワーク接続指定つきのオブジェクトが選択されたとき、ネットワークへのアクセスが不可能であれば、あるいはアクセス中にアクセスが不可能となれば、アクセス先のアドレスをUSBメモリ２２に保存すると共に、メインコンテンツの再生を継続あるいは再開する。
システム制御部２１は、ステップ１１１の処理後、ネットワークアクセスが不可能から可能になったか監視し(ステップ１１３)、依然としてネットワークへのアクセスが不可能であれば、DVDの再生が完了したかチェックし(ステップ１０３)、完了してなければステップ１０２以降の処理を繰り返す。尚、以後、WEB情報表示の要求操作がなければステップ１０１→１０２→１１３→１０３の処理が繰り返され、WEB情報表示の要求操作があれば、ステップ１０１→１０２→１０４→１０５→１１０→１１１→１１３→１０３の処理が繰り替えされる。
【００１２】
そして、ステップ１１３において、ネットワークアクセスが可能になれば、システム制御部２１はモニター３３にネットワークアクセス可能表示を行い(ステップ１１４)、以後、ユーザよりUSBメモリ２２に保存されているアクセス先のリスト表示要求がなされたかチェックし(ステップ１１５)、リスト表示要求がなされなければ、ステップ１０３以降の処理を繰り返す。
しかし、ステップ１１５において、リスト表示要求がなされるとUSBメモリ２２に保存されているアクセス先のリストを表示し(ステップ１１６)、所定のアクセス先が選択されれば(ステップ１１７)、ステップ１０６に飛び以降の処理を行う。これにより、メインコンテンツ再生が停止し、選択されたアクセス先よりWEB情報をダウンロードにより取得して表示する。
以上より、第１実施例によれば、車両移動中においてトンネル、圏外などの事情によりインターネットにアクセスできずに表示できなかったWEBページを表示することができるようになった。なお、図４の処理フローではリストのうち１つのアクセス先のWEBページしか表示できないが、当然全アクセス先のWEBページを表示するようにフローを修正することができる。
【００１３】
（ｂ）第２実施例のメインコンテンツ及びWEBページ表示制御
図５は本発明の第２実施例のメインコンテンツ及びWEBページ表示制御の処理フローである。
操作部２３より所定HD-DVDの再生指示があると、システム制御部２１はDVD再生装置の各部を制御して情報管理テーブルICTを読み取ってRAM２１aに格納すると共に、該DVDの再生を開始し、メインコンテンツをモニターに表示する(ステップ２０１)。
かかる状態において所定の映像シーンにおいてオブジェクト(リンク情報)がタッチされてWEB情報の表示が要求されたか監視する(ステップ２０２)。WEB情報の表示が要求されていなければ、DVDの再生が完了したかチェックし(ステップ２０３)、完了してなければステップ２０１に戻り、以降の処理を繰り返す。
一方、ステップ２０２において、オブジェクト(リンク情報)がタッチされてWEB情報の表示が要求されると、システム制御部２１はRAM２１aよりWEBアドレス(URL)を取得し(ステップ２０４)、インターネットにアクセス可能であるかチェックし(ステップ２０５)、インターネットにアクセス可能であれば、メインコンテンツの再生を停止し(ステップ２０６)、WEBサーバよりWEB情報をダウンロードにより取得して図３に示すように表示する(ステップ２０７)。ついで、WEB情報表示中にインターネットへのアクセスが不可能になったかチェックし(ステップ２０８)、アクセス可能であれば、WEB表示が終了したか、すなわち、ユーザの表示終了操作により、あるいは表示時間経過によりWEB表示が終了したか監視し(ステップ２０９)、WEB表示が終了しなければステップ２０７以降の処理を繰り返し、WEB表示が終了すればステップ２０１に戻り以降の処理を繰り返す。
【００１４】
一方、ステップ２０５において、インターネットへのアクセスが不可能であれば、ネットワークアクセスが不可能である旨を表示し(ステップ２１０)、USBメモリ２２にステップ２０４で取得したアクセス先アドレス（URL）、時刻、メインコンテンツの映像位置情報(タイトル、チャプター番号、画像ID等)を保存する(ステップ２１１)。以後、DVDの再生が完了したかチェックし(ステップ２０３)、完了してなければステップ２０１に戻り、以降の処理を繰り返す。
また、ステップ２０８において、すなわち、WEB情報表示中にインターネットへのアクセスが不可能になれば、メインコンテンツの再生を再開し(ステップ２１２)、ステップ２１０に飛び以降の処理を繰り返す。すなわち、システム制御部２１は、ネットワーク接続指定つきのオブジェクトが選択されたとき、ネットワークへのアクセスが不可能であれば、あるいはアクセス中にアクセスが不可能となれば、アクセス先のアドレスをUSBメモリ２２に保存すると共に、メインコンテンツの再生を継続あるいは再開する。
【００１５】
システム制御部２１は、ステップ２１１の処理後、DVDの再生が完了したかチェックし(ステップ２０３)、完了してなければステップ２０１に戻り、以降の処理を繰り返す。
以上により、第２実施例によれば、車両移動中においてトンネル、圏外などの事情により、DVD再生中において、ネットワークへのアクセスが不可能であるときのアクセス先アドレス、およびアクセス中にアクセス不可能となったときのアクセス先のアドレスをUSBメモリ２２に保存することができる。
図６はUSBメモリ２２に保存されたアクセス先アドレスの使用例である。USBメモリ２２は着脱自在であるため、HTML等の汎用形式で情報をメモリに記録することで、自宅等帰宅後、該USBメモリ２２を車載用DVD再生装置から取り外してパソコンに接続し(ステップ３０１)、パソコン画面にアクセス先のリストを表示し(ステップ３０２)、所望のアクセス先を選択し(ステップ３０３)、該アクセス先よりWEB情報をパソコンにダウンロードし、該WEB情報をパソコン画面に表示する(ステップ３０４)。
以上により、車両移動中においてトンネル、圏外などの事情によりインターネットにアクセスできずに表示できなかったWEBページをパソコンで表示することができる。同様に専用フォーマットに対応した家電装置であれば、USBメモリ２２のアクセス先情報を用いてパソコンの場合と同様に車両移動中においてインターネットにアクセスできずに表示できなかったWEBページを表示することができる。
【００１６】
（ｃ）第３実施例のメインコンテンツ及びWEBページ表示制御
図７は本発明の第３実施例のメインコンテンツ及びWEBページ表示制御の処理フローであり、ステップ１０１〜１１２までの処理は図４の第１実施例の処理フローと同じである。
第３実施例では、所定の映像シーンにおいてオブジェクト(リンク情報)がタッチされてWEB情報の表示が要求されたとき、アクセスが不可能であれば、あるいはＷＥＢサーバにアクセス中にアクセスが不可能となれば、USBメモリ２２にステップ１０４で取得したアクセス先アドレス（URL）、メインコンテンツの映像位置情報(タイトル、チャプター番号、画像ID)などを保存する(ステップ１１１)。しかる後、メインコンテンツの再生を継続するか、ネットワークにアクセス可能になるまで待機するか判断する（ステップ４０１）。なお、再生継続するか、待機するかは予め設定しておいてもよいし、あるいは、ステップ１１０のネットワークアクセス不可能表示に際して、再生継続するか、待機するかユーザが入力するようにしても良い。
【００１７】
待機が設定されていれば、メインコンテンツの再生を停止する（ステップ４０２）。この際、メインコンテンツの最新の静止画像を表示し、あるいは、ネットワークにアクセス可能になるまで待機中である旨のメッセージを表示して待機する（ステップ４０３）。以後、ネットワークアクセスが可能になったか監視し（ステップ４０４）、可能になれば、ＵＳＢメモリ２２に保存してあるアクセス先にアクセスし（ステップ４０５）、ステップ１０７以降の処理を行ってＷＥＢ情報を表示する。
一方、ステップ４０１において再生継続が設定されている場合には、メインコンテンツの再生を継続し（ステップ４１１）、ネットワークアクセスが可能になったか監視し（ステップ４１２）、ネットワークアクセスが可能にならなければＤＶＤの再生が完了したかチェックし（ステップ４１３）、完了しなければメインコンテンツの再生を継続する。
ステップ４１２において、ネットワークアクセスが可能になれば、メインコンテンツの再生を継続するかチェックし（ステップ４１４）、再生を継続する場合には、ステップ１０１に戻り、以降の処理を行う。しかし、再生を継続しない場合には、メインコンテンツの再生を停止し（ステップ４１５）、ついで、ＵＳＢメモリ２２に保存してあるアクセス先にアクセスし（ステップ４１６）、ステップ１０７以降の処理を行ってＷＥＢ情報を表示する。ＷＥＢ情報の表示完了後にメインコンテンツの再生を再開する。
第３実施例によれば、WEB情報の表示が要求されたときにアクセスが不可能であれば、あるいはＷＥＢサーバにアクセス中にアクセスが不可能となれば、その都度、再生を継続するか、待機するかをユーザの設定により選択して処理を進めることができる。再生継続する場合には、WEB表示せずメインコンテンツの再生を継続でき、待機する場合には、WEB表示を待って再生を再開することができる。
【００１８】
以上では、DVDはHD-DVD、Blu-ray DVDとしたが本発明はDVDの種類に限定されない。また、以上では、DVD再生装置が携帯電話機を介してインターネット接続する場合を説明したが、無線LANを介してインターネット接続することもできる。また、以上ではネットワークをインターネットと想定して説明したがインターネットに限ることはなく任意のネットワークでもよい。
【図面の簡単な説明】
【００１９】
【図１】本発明のDVD再生装置の構成図である。
【図２】HD-DVDやBlu-rayなどの記憶媒体に記録されている情報管理テーブルの説明図である。
【図３】WEB画像表示例である。
【図４】本発明の第１実施例のメインコンテンツ及びWEBページ表示制御の処理フローである。
【図５】本発明の第２実施例のメインコンテンツ及びWEBページ表示制御の処理フローである。
【図６】USBメモリに保存されたアクセス先アドレスの使用例である。
【図７】本発明の第３実施例のメインコンテンツ及びWEBページ表示制御の処理フロー（その１）である。
【図８】本発明の第３実施例のメインコンテンツ及びWEBページ表示制御の処理フロー（その２）である。
【符号の説明】
【００２０】
１０  記憶媒体
１１  再生信号処理部
１２  ストリーム分離・解析部
１３  オーディオ/ビデオ処理部
１４  通信インターフェース
２１  システム制御部
２２  USBメモリ
２３  操作部
３３  モニター
３４  タッチパネル
【図１】
2008306243.tif 000003
【図２】
2008306243.tif 000004
【図３】
2008306243.tif 000005
【図４】
2008306243.tif 000006
【図５】
2008306243.tif 000007
【図６】
2008306243.tif 000008
【図７】
2008306243.tif 000009
【図８】
2008306243.tif 000010